(57)【特許請求の範囲】
【請求項１】
ヘアースプレー用保護具であって、頭部に添うように湾曲した弾力性を有する板状の本体と、この本体の端部から略平行に延在する複数の頭皮保護片と、これらの頭皮保護片相互の間に略平行に形成される頭皮挿入間隙とから構成され、これらの頭皮挿入間隙に頭髪を挿入し、頭皮を保護することを特徴とするヘアースプレー用保護具。
【請求項２】
請求項１のヘアースプレー用保護具を自由状態より小さく円筒状に丸めて保持する保持手段を有することを特徴とするヘアースプレー用保護具。
【請求項３】
請求項２の保持手段は、円筒状の容器から構成され、このヘアースプレー用保護具を円筒状に丸めてこの容器に収納することを特徴とするヘアースプレー用保護具。
【請求項４】
請求項２の保持手段は、ヘアースプレー用保護具に一対の係止具を設け、このヘアースプレー用保護具を円筒状に丸めて係止具同士を係合させて円筒形状を保持することを特徴とするヘアースプレー用保護具。
【発明の詳細な説明】
【技術分野】
【０００１】
この発明は、ヘアースプレー時に頭皮や顔面に不要な噴射液がかからないようにするための、ヘアースプレー用保護具に関する。
【背景技術】
【０００２】
従来、髪型を保持するために頭髪にヘアースプレーを噴射する際に、ヘアースプレー噴射液が顔面にかかる問題が知られていた。
【先行技術文献】
【特許文献】
【０００３】
【特許文献１】実開平７−２７４０９
【特許文献２】実開平５−１８４１５
【特許文献３】実用新案登録３０３２８７１
【発明の概要】
【発明が解決しようとする課題】
【０００４】
特許文献１乃至特許文献３に開示されたように、ヘアースプレーを頭部に噴射する際、額から下部の顔面を保護するためのスプレー保護具が考えられていた。
しかし、これらの保護具は、顔面は保護できるものの頭髪の隙間を透過した噴射液が頭皮に付着することがあった。噴射液は、粘着性があって、頭皮に付着すると毛穴を塞ぎ、頭髪の毛根を痛めて、抜け毛の原因になるという問題があった。また、噴射液が頭皮に付着することによる痒みや不快感も問題であった。
【課題を解決するための手段】
【０００５】
ヘアースプレー用保護具であって、頭部に添うように湾曲した弾力性を有する板状の本体と、この本体の端部から略平行に延在する複数の頭皮保護片と、これらの頭皮保護片相互の間に略平行に形成される頭皮挿入間隙とから構成され、これらの頭皮挿入間隙に頭髪を挿入し、頭皮を保護することを特徴とするヘアースプレー用保護具である。
【発明の効果】
【０００６】
上記の問題点を解決し、顔面を含め頭皮にヘアースプレーの噴射液がかからない様にすることができる。
【図面の簡単な説明】
【０００７】
【図１】第一の実施例のヘアースプレー用保護具を示す斜視図である。
【図２】第一の実施例のヘアースプレー用保護具を頭部に取り付けた状態を示す斜視図である。
【図３】第二の実施例であるヘアースプレー用保護具を収納した状態を示す斜視図である。
【図４】第二の実施例であるヘアースプレー用保護具を容器に収納し、さらにヘアースプレー缶を収納した状態を示す斜視図である。
【図５】ヘアースプレー用保護具を頭部に装着し、頭皮を保護する状態を示す断面図である。
【図６】第三の実施例のヘアースプレー用保護具を示す斜視図である。
【図７】第四の実施例である頭皮保護片と頭髪挿入間隙の詳細図である。
【発明を実施するための形態】
【０００８】
ヘアースプレー用保護具であって、頭部に添うように湾曲した弾力性を有する板状の本体と、この本体の端部から略平行に延在する複数の頭皮保護片と、これらの頭皮保護片相互の間に略平行に形成される頭皮挿入間隙とから構成され、これらの頭皮挿入間隙に頭髪を挿入し、頭皮を保護することを特徴とするヘアースプレー用保護具である。
【０００９】
上記のヘアースプレー用保護具を自由状態より小さく円筒状に丸めて保持する保持手段を有することを特徴とするヘアースプレー用保護具である。
上記の保持手段は、円筒状の容器から構成され、このヘアースプレー用保護具を円筒状に丸めてこの容器に収納することを特徴とするヘアースプレー用保護具である。
上記の保持手段は、ヘアースプレー用保護具に一対の係止具を設け、このヘアースプレー用保護具を円筒状に丸めて係止具同士を係合させて円筒形状を保持することを特徴とするヘアースプレー用保護具である。
【実施例】
【００１０】
図１は、第一の実施例のヘアースプレー用保護具１０を示し、全体はプラスチックなどの適度の柔軟性と弾力性を有する板状の材料で一体に形成されている。ヘアースプレー用保護具１０は、本体２０と、頭皮保護片３０と、頭皮挿入間隙４０とで構成されている。本体２０は、略円弧状の外端部２１と、これと同じく円弧状の輪郭を有する内端部２２とに囲まれた輪郭を有し、全体は頭部に添うように湾曲している。ヘアースプレー用保護具１０は、透明または半透明な材料で形成されれば、上方が見やすい利点がある。
【００１１】
後端部２２から後方に略平行に頭皮保護片３０が間隔を置いて後方に延在している。頭皮保護片３０は、本体２０の内端部２２が連続する根本部３２と先端が先細の形状を有する先端部３１とから構成されている。
【００１２】
頭皮保護片３０は、間隔を置いて形成されて、このスペースは頭皮挿入間隙４０を構成している。複数の頭皮挿入間隙４０は略平行に形成されている。
【００１３】
図２はヘアースプレー用保護具１０の装着状態を示し、使用者の額の方から頭皮５０に沿って頭皮保護片３０を頭髪６０の間に挿入する。頭髪６０は、頭髪挿入間隙４０に密度を高めて挿入される。
図５に示すように、頭皮保護片３０によりスプレー噴射液が頭皮５０側に侵入しない様にするとともに、頭髪挿入間隙４０においても、頭髪６０が密集している状態であるため、スプレー噴射液が頭皮５０側に侵入し難くなっている。
【００１４】
頭皮保護片３０は多数設けられているため、頭髪６０との摩擦力により装着状態が保持され、両手を使って整髪作業をすることができる。
さらに、ヘアースプレー用保護具１０は頭皮５０に沿って頭皮５０の湾曲より狭く湾曲させてある（図６のＹ方向）ため、頭皮５０を弾力で挟んで装着状態を保持し易くしている。
【００１５】
また、頭皮保護片３０は図６のＸ方向に湾曲させることにより、頭皮５０と密着性をより良くすることができると共に、頭皮保護片３０を挿入し易くすることができる。
【００１６】
図３は第二の実施例を示し、円筒状の収納容器７０にヘアースプレー用保護具１０を丸めて収納するものである。ヘアースプレー用保護具１０は自由状態では嵩張るので、丸めてコンパクトに収納することができる。図４は、更にヘアースプレー用保護具１０の内側にヘアースプレー缶８０を収納し、化粧台のスペースを節約することができる。
【００１７】
図６は第三の実施例であり、耳かけ具３３を設けて、耳かけ具３３を耳にかけることにより、サンバイザーとしてアウトドアで使用するときに脱落し難くすることができる。なお、この耳かけ具３３は、ゴム紐を使ってもよい。サンバイザーとして兼用する場合は、ＵＶカット材を使用すると好ましい。
【００１８】
更に、第三の実施例では、頭皮保護片３０の先端部３１近傍に抜け止め部３４を設けて抜け落ち難くしている。また、係止具２３を設けて、ヘアースプレー用保護具１０を丸めて円筒状のコンパクトな形状を維持できるようにしている。係止具２３は、切込みを利用してもよいし、面ファスナーを用いてもよい。
【００１９】
図７は第四の実施例を示し、頭皮保護片３０の幅Ｗを根本部３２側は広く、先端部３１側を細くしたものである。このことにより、頭皮挿入間隙４０の幅Ｂは間隙入口４１側は広く、間隙奥部４２の側は狭くなっているので、頭髪６０が頭髪保護間隙４０に入り易く、頭髪６０が奥に入るにしたがって締められるので、しっかり保持できる利点がある。また、頭皮保護片３０の幅Ｗは、根本部３２が広いので剛性をあげる効果もある。
【００２０】
なお、本体部２０の外端部２１の輪郭形状は円弧状でなくても、ヘアースプレー液が顔面にかかるのを有効に防止できる形状なら他の形状でもよい。また、内端部２２の輪郭形状も円弧状でなくても、頭髪の生え際に沿うものであればよい。
【産業上の利用可能性】
【００２１】
この発明のヘアースプレー用保護具は、ヘアースプレー使用時に顔面や頭皮を保護するものであるが、襟元等頭部周辺や着衣を保護するのにも有効であり、サンバイザーなどにも利用可能である。
【符号の説明】
【００２２】
１０はヘアースプレー用保護具
２０は本体
２１は外端部
２２は内端部
２３は係止具
３０は頭皮保護片
３１は先端部
３２は根本部
３３は耳かけ部
３４は戻り止め部
４０は頭髪挿入間隙
４１は間隙入口
４２は間隙奥部
５０は頭皮
６０は頭髪
７０は収納容器
８０はヘアースプレー缶
【図１】
0006018137.tif 000002
【図２】
0006018137.tif 000003
【図３】
0006018137.tif 000004
【図４】
0006018137.tif 000005
【図５】
0006018137.tif 000006
【図６】
0006018137.tif 000007
【図７】
0006018137.tif 000008